(57)【要約】本発明は、プライバシー侵害や情報流出などに用いられる盜聴器、監聴器および隠しカメラなどの不法無線装置から発信される無線信号の探知を効果的に行うための不法無線装置に対する電波探知方法と電波探知モジュール、およびそれを用いた電波探知機能を有するモバイル機器を提供する。このように、本発明は、単一周波数用アンテナを用いて不法無線装置が用いられる周波数帯域の無線信号が含まれる狭帯域の無線信号を受信し、この無線信号を直列処理して不法無線装置の特定周波数に対する直流電圧値を取得する。そして、マイコンのアナログ−デジタルポートを介して取得された直流電圧値をマイコンに伝送し、マイコンにおいてデジタル形態のデータ値として出力して不法無線装置の有無を表示装置を介して外部に表示させる。【選択図】図１
2010511150.tif 000002
【特許請求の範囲】
【請求項１】
指定された周波数帯域の無線信号を使用する不法無線装置に対する電波探知方法において、
単一周波数用アンテナを用いて前記不法無線装置が用いられる周波数帯域の無線信号が含まれる狭帯域の無線信号を受信し、前記受信された狭帯域の無線信号を直列処理して前記不法無線装置の特定周波数に対する直流電圧値を取得するステップと、
マイコンのアナログ−デジタルポートを介して前記取得された直流電圧値を前記マイコンに伝送し、前記マイコンにおいてデジタル形態のデータ値として出力するステップと、
前記出力されるデジタル形態のデータ値を用いて前記不法無線装置の有無を表示装置を介して外部に表示させるステップと、
を含むことを特徴とする不法無線装置に対する電波探知方法。
【請求項２】
前記不法無線装置の特定周波数に対する直流電圧値を取得するステップは、バンドパスフィルターを用いて前記単一周波数用アンテナを介して受信された狭帯域の無線信号から前記不法無線装置が用いられる周波数帯域の無線信号を抽出するステップと、
前記バンドパスフィルターを介して抽出された前記無線信号からＲＦデテクターを介して前記不法無線装置の特定周波数を抽出して前記マイコンのアナログ−デジタル変換ポートに伝送される電気信号である前記直流電圧値に変換するステップと、
を含むことを特徴とする請求項１に記載の不法無線装置に対する電波探知方法。
【請求項３】
前記出力されるデジタル形態のデータ値を用いて前記不法無線装置の有無を表示装置を介して外部に表示させるステップは、前記マイコンを介して出力されるデジタル形態のデータ値をシステム用マイコンの入出力ポートを介して前記システム用マイコンに伝送し、前記システム用マイコンの制御により前記表示装置を介して外部に表示させることを特徴とする請求項１または２に記載の不法無線装置に対する電波探知方法。
【請求項４】
指定された周波数帯域の無線信号を使用する不法無線装置に対する電波探知モジュールにおいて、
前記不法無線装置が用いられる周波数帯域の無線信号が含まれる狭帯域の無線信号を受信するためにループアンテナ、マイクロストリップアンテナおよびチップアンテナよりなる群から選ばれる単一周波数用アンテナと、
前記単一周波数用アンテナから受信された狭帯域の無線信号を直列処理して前記不法無線装置の特定周波数に対する直流電圧値を取得するための無線信号処理部と、
前記無線信号処理部において取得された直流電圧値をデジタル形態のデータ値として出力するためのマイコンと、
を備えることを特徴とする不法無線装置に対する電波探知モジュール。
【請求項５】
前記単一周波数用アンテナ、無線信号処理部およびマイコンは、不法無線装置を探知するための機能を持たせる機器の基板上に実装されることを特徴とする請求項４に記載の不法無線装置に対する電波探知モジュール。
【請求項６】
前記単一周波数用アンテナ、無線信号処理部およびマイコンは、単一のチップとして形成されることを特徴とする請求項４に記載の不法無線装置に対する電波探知モジュール。
【請求項７】
前記単一周波数用アンテナ、無線信号処理部およびマイコンは単一のチップとして形成され、別途のシステム用マイコンを備えて不法無線装置を探知するための機能を持たせる機器の基板上に前記システム用マイコンの入出力ポートと接続されるように設けられるチップ用ソケットに取着されることにより、前記マイコンから出力されるデジタル形態のデータ値を前記システム用マイコンに入力させることを特徴とする請求項４に記載の不法無線装置に対する電波探知モジュール。
【請求項８】
前記単一周波数用アンテナ、無線信号処理部およびマイコンは別途のシステム用マイコンを備えて不法無線装置を探知するための機能を持たせる機器の基板上に前記システム用マイコンの入出力ポートと接続されるように設けられる外部ライン接続端子に接続されるように設けられることにより、前記マイコンから出力されるデジタル形態のデータ値を前記システム用マイコンに入力させることを特徴とする請求項４に記載の不法無線装置に対する電波探知モジュール。
【請求項９】
前記無線信号処理部は、前記単一周波数用アンテナを介して受信された狭帯域の無線信号から前記不法無線装置が用いられる周波数帯域の無線信号を抽出するためのバンドパスフィルターと、
前記バンドパスフィルターを介して抽出された前記無線信号から前記不法無線装置の特定周波数を抽出して前記マイコンのアナログ−デジタル変換ポートに伝送される電気信号である前記直流電圧値に変換させるＲＦデテクターと、
を備えることを特徴とする請求項４から請求項８のいずれかに記載の不法無線装置に対する電波探知モジュール。
【請求項１０】
指定された周波数帯域の無線信号を使用する不法無線装置に対する電波探知機能を有するモバイル機器において、
前記指定された周波数帯域の無線信号を使用する不法無線装置に対する探知機能を行うためのプログラムが搭載され、モバイル機器の固有機能を行うシステム用マイコンと、
前記モバイル機器のバッテリーから電源を供給されるように接続されて前記システム用マイコンと接続され、前記不法無線装置の探知結果を前記システム用マイコンに伝送するように構成される電波探知モジュールと、
を備えるが、
前記電波探知モジュールは、前記不法無線装置が用いられる周波数帯域の無線信号が含まれている狭帯域の無線信号を受信するためにループアンテナ、マイクロストリップアンテナおよびチップアンテナよりなる群から選ばれる単一周波数用アンテナを備えることを特徴とする不法無線装置に対する電波探知機能を有するモバイル機器。
【請求項１１】
前記電波探知モジュールは、前記単一周波数用アンテナを介して受信された狭帯域の無線信号から前記不法無線装置が用いられる周波数帯域の無線信号を抽出するためのバンドパスフィルターと、
前記バンドパスフィルターを介して抽出された前記無線信号から前記不法無線装置の特定周波数を抽出して前記システム用マイコンのアナログ−デジタル変換ポートに伝送される電気信号である前記直流電圧値に変換させるＲＦデテクターと、
を備えることを特徴とする請求項１０に記載の不法無線装置に対する電波探知機能を有するモバイル機器。
【請求項１２】
前記電波探知モジュールは、前記単一周波数用アンテナを介して受信された狭帯域の無線信号から前記不法無線装置が用いられる周波数帯域の無線信号を抽出するためのバンドパスフィルターと、
前記バンドパスフィルターを介して抽出された前記無線信号から前記不法無線装置の特定周波数を抽出して直流電圧値に変換させるＲＦデテクターと、
前記ＲＦデテクターにおいて取得された直流電圧値をアナログ−デジタル変換ポートに入力され、内部演算処理によりデジタル形態のデータ値に変換させて前記システム用マイコンの入出力ポートを介して前記システム用マイコンに伝送するための探知用マイコンと、
を備えることを特徴とする請求項１０に記載の不法無線装置に対する電波探知機能を有するモバイル機器。
【請求項１３】
前記電波探知モジュールは単一のチップとして形成されて前記システム用マイコンが設けられるモバイル機器の本体に設けられることを特徴とする請求項１０から請求項１２のいずれか１項に記載の不法無線装置に対する電波探知機能を有するモバイル機器。
【請求項１４】
前記システム用マイコンと接続される外部ライン接続端子をさらに備え、
前記電波探知モジュールは、バッテリー、イヤホン、マイク、ブルーテゥースおよびメモリースチックよりなる群から選ばれるモバイル機器付属品に設けられることにより、前記モバイル機器付属品が前記外部ライン接続端子に接続されたとき、前記システム用マイコンと接続されて前記不法無線装置の探知機能を行うことを特徴とする請求項１０から請求項１２のいずれか１項に記載の不法無線装置に対する電波探知機能を有するモバイル機器。
【請求項１５】
前記電波探知モジュールは、前記モバイル機器の基板上に実装されることを特徴とする請求項１０から請求項１２のいずれか１項に記載の不法無線装置に対する電波探知機能を有するモバイル機器。
【請求項１６】
前記電波探知モジュールにおいて、前記単一周波数用アンテナは、前記モバイル機器本体のハウジングの内面にパターン状に形成されることを特徴とする請求項１０から請求項１２のいずれか１項に記載の不法無線装置に対する電波探知機能を有するモバイル機器。
【発明の詳細な説明】
【技術分野】
【０００１】
本発明は不法無線装置に対する電波探知方法と電波探知モジュール、およびそれを用いた電波探知機能を有するモバイル機器に係り、さらに詳しくは、プライバシー侵害や情報流出などに用いられる盜聴器、監聴器および隠しカメラなどの不法無線装置から発信される無線信号の探知を効果的に行うための不法無線装置に対する電波探知方法と電波探知モジュール、およびそれを用いた電波探知機能を有するモバイル機器に関する。
【背景技術】
【０００２】
最近、様々な盜聴器、監聴器および隠しカメラなどが不法的に使用されるに伴い、個人のプライバシーと人権を深刻に侵害する場合が多く、社会問題となっているのが現状である。
このとき、盜聴器、監聴器、隠しカメラなどの装置は、その属性から、無線通信方式により情報を送受信することになるが、各国ごとに一般通信装備とは異なる周波数帯域の電波を使用することが義務付けられている。すなわち、上市されている盜聴器および隠しカメラの周波数帯域は不特定多数の周波数帯域を使用しない。例えば、韓国は隠しカメラとして用いられる「無線送信映像装置」の場合、情報通信部において「特定の小出力無線局用の周波数」という映像伝送用の２４１０ＭＨｚ、２４３０ＭＨｚ、２４５０ＭＨｚ、２４７０ＭＨｚの４帯域を割り当て、これにより、韓国内流通中のほとんどの「無線送信映像装置」を用いた製品の場合、上記の４帯域の周波数を使用している。このとき、無線盜聴器の場合、韓国は小出力無線装置のうち別途の単方向性音声送信用周波数を割り当てていないため、韓国内 において最も活発に流通中の製品は日本の無線送信器である。そして、日本は、無線送信器の場合、３９８．６０５ＭＨｚ、３９９．４５５ＭＨｚ、３９９．０３０ＭＨｚに限定されている。
このため、このような無線通信方式の盜聴器、監聴器および隠しカメラを探知するための方法は、広帯域の無線信号からこれらが使用する周波数帯域の無線信号を抽出して判断する原理に基づいて行われる。
大韓民国公開特許公報公開第１０−２００１−００２６３７３号に記載の「隠しカメラ鑑識装置」は、外部信号を検出する検出部と、この検出部に電気的に接続され、検出部から出力される信号を増幅する信号増幅部と、警告音を発生する警告部、および信号増幅部と警告部に電気的に接続され、信号増幅部から出力される信号を制御して警告部を動作させる制御部を備えることにより、周りにおいて隠しカメラが作動することを感知可能な技術を提案している。
大韓民国登録特許公報登録第１０−０５５２１１６号に記載の「盜聴器／隠しカメラ探知装置」は、無線ＲＦ信号において低帯域および高帯域ＲＦ信号をそれぞれ探索する低帯域および高帯域アンテナを使用し、１．７ＭＨｚの低周波信号から３ＧＨｚまでの高周波信号まで周期的に周波数を掃除して特定周波数内の信号を探索して分析することにより、様々な周波数帯域の盜聴器／隠しカメラの探知を可能にする技術を提案している。
大韓民国登録特許公報登録第１０−０３４０８２２号に記載の「盜監聴装置および隠しカメラ探知器」は、アンテナから盜監聴装備若しくは隠しカメラが発生する高周波信号を受信する高周波入力部と、この高周波入力部により受信された信号のうち８０〜７００ＭＨｚ範囲の周波数を有する信号だけを同調させる同調部と、を備えるが、高周波入力部に同調部により同調される周波数のうち携帯電話から発生される７５０〜８５０ＭＨｚ帯域の信号を遮断する周波数精密選択部を設けることにより、携帯電話信号による誤動作を防止可能な技術を提案している。
大韓民国登録実用新案公報登録第２０−０２６２５４７号に記載の「隠しカメラおよび盜聴器の電波探知器」は、高周波受信および増幅部に雑音指数が４ＧＨｚにおいて０．７ｄＢ以下であり、且つ、入力インピーダンスが高い超低雑音電圧増幅器用の電界効果トランジスタ（ＧａＳａ  ＭＥＳＦＥＴ）を用いて信号伝達の損失を与えず、しかも、電圧増幅度と増幅遮断周波数が極めて高くて安定した信号を得られる技術を提案している。
しかしながら、従来の技術によれば、不法無線装置を探知するための明確な判断基準を提供しておらず、広帯域の無線信号を受信して不法無線装置が用いられる周波数帯域の無線信号を取得するという原論的な技術だけを提示したり、無線信号の取得とは無関係に超音波センサーなどを用いて不法無線装置を探知するという一般論的な技術だけを提示しているに過ぎない。このとき、無線信号を受信して不法無線装置を探知するために提案された従来の技術の動作は、図１に示すように、広帯域の無線信号Ａを受信して行われるため、不法無線装置の有無を安定的且つ効果的に提供することが困難であるという問題点がある。すなわち、従来の技術によれば、不法無線装置が用いられる周波数エリアの無線信号を含む狭帯域の無線信号Ｂから不法無線装置の有無を判断するが、このような狭帯域の無線信号は、図１に示すように、不法無線装置の特定周波数だけではなく、他の装置において用いられる周波数が重なり合うという問題点がある。例えば、４００ＭＨｚ帯域においては無線盜聴器、周波数共用通信（ＴＲＳ）が用いられ、８００ＭＨｚ帯域においては携帯電話が使用され、９００ＭＨｚ帯域においては無線電話が用いられ、２４００ＭＨｚ〜２４７０ＭＨｚの周波数帯域においては隠しカメラ、ＣＣＴＶなどが用いられ、２４２７ＭＨｚ〜２４０００ＭＨｚの周波数帯域においては無線ＬＡＮ、ブルーテゥースが用いられるため、狭帯域の無線信号（従来、無線盜聴器を探知するための技術は図１の「Ｂ」に相当する周波数帯域を抽出して不法無線装置の有無を判断していた）には様々な装置の無線信号（周波数）が含まれる。
このため、従来の技術によれば、不法無線装置の有無の判断が明確ではなく、その効用性が低くて、不法無線装置において用いられる周波数帯域の無線信号を正確に分離して処理するための装置を実現するためにはその構成が複雑になるという問題点があり、装置の小型化に難点があるという問題点がある。そして、受信された広帯域の無線信号から狭帯域の無線信号を分離して処理する過程において雑音や誤信号が混ざり込んで機器が不安定になるという問題点があり、不法無線装置の無線信号に対する応答効率と探知効率があまり高くないという問題点があった。
一方、不法無線装置の探知に対する要求が高まるに伴い、不法無線装置の探知機能を有する携帯電話、ＭＰ３、ＰＤＡ、デジタルカメラ、ＰＳＰ、計算機などの種々のモバイル機器が提案されている。特に、生活必須品として定着された携帯電話と関連してこのような技術の導入が積極的に検討されている。例えば、携帯電話に無線盜聴器および隠しカメラ探知機能を追加する方式や、無線盜聴器および隠しカメラ探知機能を小型化させてこれを携帯電話と連動させる方式により不法無線装置に対する探知機能を携帯電話に実装する技術が提案されている。
大韓民国公開特許公報公開第２００１−０１０３４６９号に記載の「盜監聴装置および隠しカメラ探知装置を内蔵した携帯電話」は、通常の携帯電話に盜監聴装置および隠しカメラ公衆周波数を受信して警報するための探知器受信モジュールを付加し、携帯電話固有のマイクロプロセッサー、バッテリー電源およびアンプとスピーカーを警報手段として共有し、且つ、作動モードによって探知器受信モジュールを遮断したり接続するためのモード切替スイッチおよび探知器受信モジュールに任意にバッテリー電源を遮断可能な外部スイッチから構成されて盜監聴装置および隠しカメラが探知可能な携帯電話を提案している。
大韓民国特許公報公開番号２００２−００１６７０３号に記載の「隠しカメラおよび盜聴器の探知機能を有する携帯電話」は、携帯電話のアンテナを介して受信される信号を携帯電話の周波数帯域と隠しカメラおよび盜聴器の周波数帯域の信号にそれぞれスプリットした後、隠しカメラおよび盜聴器の周波数帯域の信号を受信および検波し、出力された信号の強度を検出して、この検出された信号強度に基づいて隠しカメラまたは盜聴器が設けられていることを示す技術を提案している。
大韓民国特許公報公開第１０−２００６−００１２９３８号に記載の「移動通信端末を用いた盗聴および隠しカメラ探知装置」は、盗聴および隠しカメラ探知モジュールを移動通信端末に着脱自在に連結して使用したいときにはいつでも使用できるようにした技術を提案している。
しかしながら、このように不法無線装置の探知機能を有する携帯電話と関連する従来の技術には、上述した不法無線装置を探知するための従来の技術と同様に、広帯域の無線信号を受信した後、狭帯域の無線信号を分離して判断するような方式が適用されているため、結果的に同じ問題点を有する。また、不法無線装置の探知機能を携帯電話に適用するためにはそれによる探知モジュールが構成される必要があるが、上述したように、不法無線装置において用いられる周波数帯域の無線信号を正確に分離して処理するための装置を実現することが困難である結果、小型および薄型の携帯電話には実質的に適用し難いという問題点がある。例えば、携帯電話には様々な携帯電話機能を実現するためのシステム用マイコン（ＭＰＵ、ＣＰＵなど通常システム制御のために用いられるマイコンをいう。）が適用されるが、このようなシステム用マイコンは入出力ポートに比べて限られた数のアナログ−デジタル変換回路ポートを有しており、限られた面積と構造の基板により不法無線装置に対する探知機能を行う上で必須となる素子を適用するには限界があり、システム用マイコンの容量を高めることを余儀なくされるという問題点が伴われる。また、このような従来の技術による携帯電話は通信機能のために設けられるアンテナを介して不法無線装置の無線信号を受信するため、通話のための送受信信号の処理過程においても雑音や誤信号が混ざり込むことにより携帯電話の通信機能をはじめとする固有機能を低下させる問題点もあり、携帯電話の固有機能を使用するときに、特に、実質的に不法無線装置の探知機能が必要となる通話時に携帯電話の固有機能を使用するときに、不法無線装置の探知機能を使用することができないという問題点がある。
【先行技術文献】
【特許文献】
【０００３】
【特許文献１】大韓民国公開特許公報公開第１０−２００１−００２６３７３号
【特許文献２】大韓民国登録特許公報登録第１０−０５５２１１６号
【特許文献３】大韓民国登録特許公報登録第１０−０３４０８２２号
【特許文献４】大韓民国登録実用新案公報登録第２０−０２６２５４７号
【特許文献５】大韓民国公開特許公報公開第２００１−０１０３４６９号
【特許文献６】大韓民国特許公報公開番号２００２−００１６７０３号
【特許文献７】大韓民国特許公報公開第１０−２００６−００１２９３８号
【発明の概要】
【発明が解決しようとする課題】
【０００４】
そこで、本発明は、このような従来の技術の問題点を解決するために提案されたものであり、従来の技術に比べて不法無線装置の有無を安定的且つ効果的に探知可能な新規な不法無線装置に対する電波探知方法と電波探知モジュールを提供することを目的とする。
また、本発明は、受信された無線信号を処理する過程において雑音や誤信号が混ざり込んで機器が不安定になる問題点を効果的に除去して、不法無線装置の無線信号に対する応答効率と探知効率を高められる新規な不法無線装置に対する電波探知方法と電波探知モジュールを提供することを目的とする。
さらに、本発明は、不法無線装置を探知するための装置を実現するに当たって、従来の技術に比べてその構成を簡素化させることにより、装置の小型化が図れると共に、携帯電話などのモバイル機器に不法無線装置の探知機能を容易に適用する新規な不法無線装置に対する電波探知方法と電波探知モジュールを提供することを目的とする。
特に、本発明は、不法無線装置の有無を判断する構成を単一のモジュールとして構成することにより、究極的には単一のチップとして構成して携帯電話、デジタルカメラ、ＰＤＡなどのモバイル機器に不法無線装置の探知機能を簡単に実装可能な新規な電波探知方法と電波探知モジュールを提供することを目的とする。
さらに、本発明は、このような電波探知方法と電波探知モジュールを適用すると共に、従来の技術とは異なりモバイル機器の本来の機能を毀損しないつつも安定的且つ効率的に不法無線装置を探知可能な新規な不法無線装置に対する電波探知機能を有するモバイル機器を提供することを目的とする。
【課題を解決するための手段】
【０００５】
上述した目的を達成するための本発明の特徴によれば、本発明は、指定された周波数帯域の無線信号を使用する不法無線装置に対する電波探知方法において、単一周波数用アンテナを用いて前記不法無線装置が用いられる周波数帯域の無線信号が含まれる狭帯域の無線信号を受信し、前記受信された狭帯域の無線信号を直列処理して前記不法無線装置の特定周波数に対する直流電圧値を取得するステップと、マイコンのアナログ−デジタルポートを介して前記取得された直流電圧値を前記マイコンに伝送し、前記マイコンにおいてデジタル形態のデータ値として出力するステップと、前記出力されるデジタル形態のデータ値を用いて前記不法無線装置の有無を表示装置を介して外部に表示させるステップと、を含む。
また、本発明による不法無線装置に対する電波探知方法において、前記不法無線装置の特定周波数に対する直流電圧値を取得するステップは、バンドパスフィルターを用いて前記単一周波数用アンテナを介して受信された狭帯域の無線信号から前記不法無線装置が用いられる周波数帯域の無線信号を抽出するステップと、前記バンドパスフィルターを介して抽出された前記無線信号からＲＦデテクターを介して前記不法無線装置の特定周波数を抽出して前記マイコンのアナログ−デジタル変換ポートに伝送される電気信号である前記直流電圧値に変換するステップと、を含んでもよい。
さらに、本発明による不法無線装置に対する電波探知方法において、前記出力されるデジタル形態のデータ値を用いて前記不法無線装置の有無を表示装置を介して外部に表示させるステップは、前記マイコンを介して出力されるデジタル形態のデータ値をシステム用マイコンの入出力ポートを介して前記システム用マイコンに伝送し、前記システム用マイコンの制御により前記表示装置を介して外部に表示させてもよい。
上述した目的を達成するための本発明の他の特徴によれば、本発明は、指定された周波数帯域の無線信号を使用する不法無線装置に対する電波探知モジュールにおいて、前記不法無線装置が用いられる周波数帯域の無線信号が含まれる狭帯域の無線信号を受信するためにループアンテナ、マイクロストリップアンテナおよびチップアンテナよりなる群から選ばれる単一周波数用アンテナと、前記単一周波数用アンテナから受信された狭帯域の無線信号を直列処理して前記不法無線装置の特定周波数に対する直流電圧値を取得するための無線信号処理部と、前記無線信号処理部において取得された直流電圧値をデジタル形態のデータ値として出力するためのマイコンと、を備える。
また、本発明による不法無線装置に対する電波探知モジュールにおいて、前記単一周波数用アンテナ、無線信号処理部およびマイコンは、不法無線装置を探知するための機能を持たせる機器の基板上に実装されてもよい。
さらに、本発明による不法無線装置に対する電波探知モジュールにおいて、前記単一周波数用アンテナ、無線信号処理部およびマイコンは、単一のチップとして形成されてもよい。
さらに、本発明による不法無線装置に対する電波探知モジュールにおいて、前記単一周波数用アンテナ、無線信号処理部およびマイコンは単一のチップとして形成され、別途のシステム用マイコンを備えて不法無線装置を探知するための機能を持たせる機器の基板上に前記システム用マイコンの入出力ポートと接続されるように設けられるチップ用ソケットに取着されることにより、前記マイコンから出力されるデジタル形態のデータ値を前記システム用マイコンに入力させてもよい。
さらに、本発明による不法無線装置に対する電波探知モジュールにおいて、前記単一周波数用アンテナ、無線信号処理部およびマイコンは別途のシステム用マイコンを備えて不法無線装置を探知するための機能を持たせる機器の基板上に前記システム用マイコンの入出力ポートと接続されるように設けられる外部ライン接続端子に接続されるように設けられることにより、前記マイコンから出力されるデジタル形態のデータ値を前記システム用マイコンに入力させてもよい。
さらに、本発明による不法無線装置に対する電波探知モジュールにおいて、前記無線信号処理部は、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して前記マイコンのアナログ−デジタル変換ポートに伝送される電気信号である前記直流電圧値に変換させるＲＦデテクターと、を備えてもよい。
上述した目的を達成するための本発明のさらに他の特徴によれば、本発明は、指定された周波数帯域の無線信号を使用する不法無線装置に対する電波探知機能を有するモバイル機器において、前記指定された周波数帯域の無線信号を使用する不法無線装置に対する探知機能を行うためのプログラムが搭載され、モバイル機器の固有機能を行うシステム用マイコンと、前記モバイル機器のバッテリーから電源を供給されるように接続されて前記システム用マイコンと接続され、前記不法無線装置の探知結果を前記システム用マイコンに伝送するように構成される電波探知モジュールと、を備えるが、前記電波探知モジュールは、前記不法無線装置が用いられる周波数帯域の無線信号が含まれている狭帯域の無線信号を受信するためにループアンテナ、マイクロストリップアンテナおよびチップアンテナよりなる群から選ばれる単一周波数用アンテナを備える。
また、本発明による不法無線装置に対する電波探知機能を有するモバイル機器において、前記電波探知モジュールは、前記電波探知モジュールは、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して前記システム用マイコンのアナログ−デジタル変換ポートに伝送される電気信号である前記直流電圧値に変換させるＲＦデテクターと、を備えてもよい。
さらに、本発明による不法無線装置に対する電波探知機能を有するモバイル機器において、前記電波探知モジュールは、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して直流電圧値に変換させるＲＦデテクターと、前記ＲＦデテクターにおいて取得された直流電圧値をアナログ−デジタル変換ポートに入力され、内部演算処理によりデジタル形態のデータ値に変換させて前記システム用マイコンの入出力ポートを介して前記システム用マイコンに伝送するための探知用マイコンと、を備えてもよい。
さらに、本発明による不法無線装置に対する電波探知機能を有するモバイル機器において、前記電波探知モジュールは単一のチップとして形成されて前記システム用マイコンが設けられるモバイル機器の本体に設けられてもよい。
さらに、本発明による不法無線装置に対する電波探知機能を有するモバイル機器は、 前記システム用マイコンと接続される外部ライン接続端子をさらに備え、前記電波探知モジュールは、バッテリー、イヤホン、マイク、ブルーテゥースおよびメモリースチックよりなる群から選ばれるモバイル機器付属品に設けられることにより、前記モバイル機器付属品が前記外部ライン接続端子に接続されたとき、前記システム用マイコンと接続されて前記不法無線装置の探知機能を行ってもよい。
さらに、本発明による不法無線装置に対する電波探知機能を有するモバイル機器において、前記電波探知モジュールは、前記モバイル機器の基板上に実装されてもよい。
さらに、本発明による不法無線装置に対する電波探知機能を有するモバイル機器において、前記電波探知モジュールにおける前記単一周波数用アンテナは、前記モバイル機器本体のハウジングの内面にパターン状に形成されてもよい。
【発明の効果】
【０００６】
本発明による不法無線装置に対する電波探知方法と電波探知モジュールによれば、単一周波数用アンテナを用いて不法無線装置が用いられる周波数帯域の無線信号が含まれている狭帯域の無線信号を受信し、これを直列処理して行われることから、従来の技術に比べて優れた安定性と高い応答効率および探知効率にて不法無線装置を探知することが可能になる。特に、単一周波数用アンテナを用いて不法無線装置が用いられる周波数帯域の無線信号が含まれている狭帯域の無線信号を受信した後、直列処理を施すことにより不法無線装置の特定周波数に対する直流電圧値を取得することから、受信された無線信号を処理する過程において雑音や誤信号が混ざり込んで機器が不安定になるという問題点を効果的に除去して不法無線装置の無線信号に対する応答効率と探知効率を高めることができる。さらに、本発明は、不法無線装置を探知するための装置を実現するに当たって、能動素子と受動素子を活用してモジュール状に構成することができて基板に実装して構成すると共に、単一のチップとして構成することができることから、従来の技術に比べてその構成を簡素化して装置の小型化が図ることが可能であり、しかも、携帯電話などのモバイル機器に不法無線装置の探知機能を簡単に適用することができる。また、自体マイコン（マイクロコントローラ）を介してデジタル形態のデータ値として出力するように構成可能なことから、携帯電話などのモバイル機器に不法無線装置に対する電波探知のためのハードウェア的構成をさらに構成する必要がなくなり、様々なモバイル機器に対する高い互換性を有する。特に、本発明による電波探知モジュールは単一のチップとして構成することができることから、携帯電話のように適用しようとするモバイル機器に電波探知回路が取着される構成（ソケットまたは外部ライン接続端子）だけを付加するだけでも不法無線装置の電波探知機能を適用することができるので、適用しようとする装置の設計負担を軽減することができる。さらに、本発明は、従来の技術とは異なり、モバイル機器のモジュールに対する設計負担を軽減しながら不法無線装置の電波探知機能を有するモジュールを追加可能にすることから、モバイル機器本来の機能を毀損しないつつも安定的且つ効率的に不法無線装置を探知することが可能になる。特に、本発明によるモバイル機器は、モバイル機器のアンテナとは別個に単一周波数用アンテナが設けられ、システム用マイコンとは別個に電波探知機能のための探知用マイコンが構成されるため、モバイル機器本来の機能とは分離されて独立的に安定され、効率的な探知機能を行うことになり、モバイル機器も本来の機能を円滑に行うことになる。さらに、モバイル機器のアンテナとは別個に単一周波数用アンテナが設けられるため、アンテナを使用しない計算機、デジタルカメラ、ＰＳＰなどのモバイル機器にアンテナを設けるための設計変更が要求されないというメリットがある。
【図面の簡単な説明】
【０００７】
【図１】は、背景技術と従来の技術との問題点を説明するためのグラフである。
【図２】は、本発明の技術的思想による不法無線装置に対する電波探知方法を説明するための図である。
【図３】は、本発明の好適な実施形態による不法無線装置に対する電波探知方法の一例を説明するためのグラフである。
【図４】は、本発明の技術的思想による不法無線装置に対する電波探知モジュールを説明するための図である。
【図５】は、本発明の好適な実施形態による不法無線装置に対する電波探知モジュールを説明するためのブロック図である。
【図６】は、図５に示す不法無線装置に対する電波探知回路が実現される一例を説明するための図である。
【図７】は、図３に示す不法無線装置に対する電波探知回路が実現される他の例を説明するための図である。
【図８】は、本発明の好適な実施形態による不法無線装置に対する電波探知機能を有するモバイル機器を説明するためのブロック図である。
【図９】は、図６に示す不法無線装置に対する電波探知機能を有するモバイル機器の一例として携帯電話に実現される一例を説明するための図である。
【図１０】は、図６に示す不法無線装置に対する電波探知機能を有するモバイル機器の一例として携帯電話に実現される他の例を説明するための図である。
【発明を実施するための形態】
【０００８】
以下、添付図面の図２から図１０に基づき、本発明の実施形態を詳述する。図中、同じ機能を行う構成要素に対しては同じ参照番号を付する。一方、各図面および詳細な説明において一般的な不法無線装置に対する電波探知方法、抽出された無線信号を介して不法無線装置の有無を判断するソフトウェア的な方法など本発明の従来の技術からこの分野における通常の知識を持った者が容易に理解できる構成および作用に対する図示および言及は簡略化または省略した。特に、図示および詳細な説明において本発明の技術的特徴と直接的に関連しない要素の具体的な技術的構成および作用に対する詳細な説明および図示は省略し、本発明と関連する技術的な構成だけを簡略に図示または説明した。そして、図面の図示において要素間のサイズ比がやや異なるように表示されたり互いに結合される部品間のサイズが異なるように表現された部分もあるが、このように図面の表現差はこの分野における通常の知識を持った者が容易に理解できる部分であるため、別途の説明を省略する。
図２は、本発明の技術的思想による不法無線装置に対する電波探知方法を説明するための図であり、図３は、本発明の好適な実施形態による不法無線装置に対する電波探知方法の一例を説明するためのグラフであり、図４は、本発明の技術的思想による不法無線装置に対する電波探知モジュールを説明するための図である。
図１から図４を参照すれば、本発明は、指定された周波数帯域の無線信号を用いてプライバシー侵害や情報流出などに悪用される無線盜聴器、無線監聴器、隠しカメラなどの不法無線装置（以下、「不法無線装置」と称する。）を探知するためのものであり、不法無線装置を探知するための電波探知方法およびその方法を実現するための構成要素からなる電波探知モジュールを提供する。
本発明による不法無線装置に対する電波探知方法は、狭帯域の無線信号を受信して、これを直列処理（バンドパスフィルター３２とＲＦデテクター３４からなる無線信号処理部３０を用いて一列に連続処理）して特定周波数の無線信号に対する直流電圧値を取得した後、これをデジタル形態のデータ値として出力して表示装置６０（図８に示すディスプレイ６２、スピーカー６４またはＬＥＤなど）を介して外部に表示させるが、このような過程をモジュールからなる電波探知回路１０により行うことを特徴とする。このとき、特定周波数の無線信号に対する直流電圧値をデジタル形態のデータ値として出力するマイコン４０が不法無線装置を探知するための専用装備またはモバイル機器の自体マイコンとして用いられる場合、表示装置６０の制御は上記のマイコン４０により行われ、モバイル機器に容易に設ける形態である本発明の電波探知モジュールが単一のチップまたは独立したモジュールからなる場合、モバイル機器のシステム用マイコン５０（本発明においては、携帯電話１００のシステム用マイコン５０が例として取られている）により表示装置６０の制御が行われて外部に表示される。
図１から図４を参照して具体的に説明すると、不法無線装置が用いられる周波数帯域の無線信号が含まれる狭帯域の無線信号の受信は、単一周波数用アンテナ２０を用いて行われる。このため、従来によるものが多数の相対的に広い周波数帯域の受信率を有するアンテナを用いて不特定の無線信号（広帯域の無線信号）を受信する方式であるのに対し、本発明のものは不法無線装置が用いられる周波数帯域の無線信号を受信するような方式であるため、特定の無線信号の選別的な受信を通じてその処理を単純化させることができ、電波探知回路を単純に構成することが可能になる。
このようにして受信された狭帯域の無線信号は直列処理されて不法無線装置の特定周波数帯域に対する直流電圧値が取得される。このとき、直流電圧値の取得は、バンドパスフィルター３２を用いて不法無線装置が用いられる周波数帯域の無線信号を抽出した後、ＲＦデテクター３４を介して不法無線装置の特定周波数を抽出して直流電圧値に変換することにより行われる。すなわち、不法無線装置の特定周波数に対する直流電圧値を取得するステップは、バンドパスフィルター３２を用いて単一周波数用アンテナ２０を介して受信された狭帯域の無線信号から不法無線装置が用いられる周波数帯域の無線信号を抽出した後、ＲＦデテクターを介して不法無線装置の特定周波数を抽出してマイコン４０のアナログ−デジタル変換ポートに伝送される電気信号である直流電圧値に変換する過程からなる。
このようにして取得された不法無線装置の特定周波数に対する直流電圧値は、マイコン４０を介してデジタル形態のデータ値として出力される。すなわち、マイコン４０はＲＦデテクター３４を介してＡＤＣポートに流入した電圧（直流電圧値）を内部に設定された演算処理過程を経てデジタル形態のコードとして出力する。このとき、本発明において、マイコン４０を用いてデジタル形態のデータ値として出力する方法は、特に、単一のチップとして構成する場合、後述する携帯電話１００、１００’（図９および図１０参照）などのモバイル機器１００に簡単に適用可能にする。すなわち、従来の技術によれば、電波探知機能を有する別途の装置（通常、探知器）を実現したり、携帯電話などのモバイル機器に電波探知機能を追加する場合、モバイル機器１００のマイコン（本発明における「システム用マイコン５０」に相当する）のＡＤＣポートを用いて設計しなければならないため、最初の携帯電話の設計時から反映しなければならず、携帯電話運用プログラムの製作時に不法無線装置の電波探知機能がさらに反映されるという負担があるのに対し、本発明によれば、マイコン４０においてデジタル形態のコードとして出力してモバイル機器１００のシステム用マイコン５０のＩ／Ｏポートを使用するようにするため、携帯電話１００、１００’などのモバイル機器１００には別途のハードウェア的構成（もちろん、本発明による電波探知モジュール１０と結合または接続されるチップ用ソケット１１４（図９参照）や、外部ライン接続端子１３０（図１０参照）の構成は必要となる）が不要であり、ソフトウェアのアップグレード（携帯電話にプログラムをインストールして使用する通常の方法）だけで不法無線装置の電波探知機能を適用することができる。もちろん、このように本発明の不法無線装置に対する電波探知方法を実現する電波探知モジュールは基板上に能動素子と受動素子の形態で実装して構成する形態でも実現されるものであり、デジタル形態のコードとして出力するためのマイコン４０を通常モバイル機器の固有機能のために設けられるマイコン（本発明においては、「システム用マイコン５０」と称する。）に適用することができる。
本発明による不法無線装置に対する電波探知方法は、不法無線装置において用いられる周波数帯域の無線信号が含まれる狭帯域の無線信号を受信して不法無線装置の特定周波数に対する直流電圧値を取得するステップと、デジタル形態のデータ値を出力するステップとが、単一周波数用アンテナ２０、無線信号処理部３０および探知用マイコン４０を備えてなる電波探知回路１０において行われ、出力されるデジタル形態のデータ値を用いて不法無線装置の有無を表示装置６０を介して外部に表示させる。ここで、表示装置６０としては、ＬＥＤ、ＬＣＤなどのディスプレイ、ブザー、スピーカーなどが適用可能であり、不法無線装置を探知するための専用機器（探知器）またはシステム用マイコン５０をデジタル形態のデータ値として出力するマイコン４０として使用する場合、マイコン４０の直接制御により送出される。そして、携帯電話のように不法無線装置に対する電波探知機能がさらに提供されるモバイル機器１００の場合、モジュールからなる電波探知回路１０に外付けされるシステム用マイコン５０（例えば、携帯電話のシステム用マイコン）の入出力ポートにデジタル形態のデータ値を伝送し、システム用マイコン５０の制御により表示装置（図９に示すように、携帯電話１００のディスプレイ６２またはスピーカー６４）を介して外部に表示させる。
図４を参照すれば、本発明による不法無線装置に対する電波探知モジュール１０は、上述したように、不法無線装置に対する電波探知方法を実現するために単一周波数用アンテナ２０、無線信号処理部３０、マイコン４０から構成されて特定周波数による不法無線装置の有無を判断した結果をデジタル形態のデータ値として出力する。
さらに具体的に、単一周波数用アンテナ２０は、不法無線装置が用いられる周波数帯域の無線信号を含む狭帯域の無線信号を受信するためにループアンテナ、マイクロストリップアンテナおよびチップアンテナなどを選択的に用いて構成することができる。この単一周波数用アンテナ２０は、不特定の無線信号を受信したり、広い範囲の無線信号を受信する通常のアンテナとは異なり、不法無線装置が用いられる周波数帯域の無線信号を含む特定の帯域の無線信号を制限的に受信するように構成される。無線信号処理部３０は、単一周波数用アンテナ２０から受信された狭帯域の無線信号を直列処理して不法無線装置の特定周波数に対する直流電圧値を取得する。本発明において、この無線信号処理部３０は、バンドパスフィルター３２とＲＦデテクター３４を備えてなる。ここで、バンドパスフィルター３２は、単一周波数用アンテナ２０を介して受信された狭帯域の無線信号から不法無線装置が用いられる周波数帯域の無線信号を抽出し、ＲＦデテクター３４は、バンドパスフィルター３２を介して抽出された無線信号から不法無線装置の特定周波数を抽出してマイコン４０のアナログ−デジタル変換ポートに伝送される電気信号である直流電圧値に変換させる。
本発明の電波探知モジュール１０は、無線信号処理部３０において取得された不法無線装置の特定周波数に対する直流電圧値をデジタル形態のデータ値として出力するためのマイコン４０を備えて、不法無線装置の有無が確定された結果であるデータ値を取得する。このため、本発明は、特定の無線信号が選別的に受信される一方、単純化した構成回路を介して信号処理が迅速に行われることにより、不法無線装置に対する高い応答効率と探知効率および安定性を有し、加えて、不法無線装置を探知するための構成要素の超小型化が図れる結果、携帯電話などのモバイル機器に簡単に内蔵することが可能になる。
ここで、本発明において探知する不法無線装置としては、無線盜聴器、無線監聴器、隠しカメラなどがあるが、本発明はこれらから選ばれたいずれか１種だけを探知（このような選択はソフトウェア的に調節してもよく、探知用マイクロプロセッサー４０とシステム用マイクロプロセッサー５０とのシリアル通信により自動制御してもよい。）するように構成したり、図５および図８に示すように、多数の単一周波数用アンテナ２０ａ、２０ｂ、２０ｃ、バンドパスフィルター３２ａ、３２ｂ、３２ｃおよびＲＦデテクター３４ａ、３４ｂ、３４ｃを設けて、これらから（ソフトウェア的に）選択された２以上の不法無線装置を同時に探知する。もちろん、上述したように、本発明によれば、電波探知モジュール１０は単一のチップとして構成される場合、必要に応じて、電波探知モジュールの交換とソフトウェアのアップグレードにより簡単に変更することができる。例えば、不法無線装置に対する電波探知モジュールが取着された携帯電話を韓国における使用から日本における使用に切り換える必要がある場合、日本に適用される特定周波数の不法無線装置を探知するように設計された電波探知モジュールに交換すればよい。
図５は、本発明の好適な実施形態による不法無線装置に対する電波探知モジュールを説明するためのブロック図である。
図５を参照すれば、本発明の好適な実施形態による不法無線装置に対する電波探知モジュール１０は、不法無線装置に用いられる特定周波数帯域の無線信号を受信する３個の単一周波数用アンテナ２０、すなわち、単一周波数用の第１のアンテナ２０ａ、単一周波数用の第２のアンテナ２０ｂおよび単一周波数用の第３のアンテナ２０ｃが用いられ、受信された狭帯域の無線信号を無線信号処理部３０において直列処理した後、探知用マイコン４０を介してデジタル形態のデータ値として出力することにより、構成要素が最少化され、且つ、高い安定性がもたらされる。すなわち、従来の不法無線装置に対する探知装置は、アンテナを介して不特定の無線信号が受信された状態でこれを探知装置の内部回路を介して除去する形態であるため、不法無線装置から発信する特定周波数帯域の無線信号を正確に分離して処理する過程において雑音や誤信号が混ざり込む場合が多い結果、機器が不安定であり、これにより、不法無線装置の無線信号に対する応答効率と探知効率があまり高くないのに対し、本発明は、上述したように、無線信号の受信段階から不法無線装置において用いられる特定周波数を限定して受信するため、以降の信号処理過程において雑音や誤信号が混ざり込むという問題点を極力抑えることができる結果、安定性と応答効率および探知効率に優れている。特に、携帯電話のように（通信のための）専用アンテナとは別途に不法無線装置の無線信号を受信する単一周波数用アンテナ２０が設けられるため、従来の技術に比べて信号処理過程において雑音や誤信号が混ざり込むという問題点を除去することができ、デジタルカメラのように専用アンテナが設けられないモバイル機器にも極めて簡単に不法無線装置の探知機能を与えることができる。
このとき、周知のように、不法無線装置としては、無線盜聴器、隠しカメラ、無線監聴器などがあるが、一般的に、盜聴器、監聴器および隠しカメラの周波数帯域は不特定多数の周波数帯域を使用しない。すなわち、韓国の場合、隠しカメラとして用いられる無線送信映像装置の場合、情報通信部において「特定の小出力無線局用の周波数」という映像伝送用の２４１０ＭＨｚ、２４３０ＭＨｚ、２４５０ＭＨｚ、２４７０ＭＨｚの４帯域に限定しており、韓国内の無線送信映像装置は上記の４帯域の周波数を使用する。そして、日本の場合、無線送信映像装置は１２００ＭＨｚ帯域と指定されている。このため、隠しカメラを探知する場合には１．２ＧＨｚと２．４ＧＨｚ周波数帯域の無線信号をそれぞれ受信する単一周波数用の第２および第３のアンテナ２０ｂ、２０ｃを使用する。このとき、日本は、無線送信器の場合、４００ＭＨｚ帯域に限定しているため、無線盜聴器を探知するために４００ＭＨｚ付近の周波数帯域の無線信号を受信する単一周波数用の第１のアンテナ２０ａを使用する。
一方、本発明の好適な実施形態による電波探知モジュール１０は、無線盜聴器と隠しカメラの両方を探知する機能を適用するために、４００ＭＨｚ、１．２ＧＨｚ、２．４ＧＨｚ付近の周波数帯域の無線信号をそれぞれ受信する単一周波数用の第１のアンテナ２０ａ、第２のアンテナ２０ｂおよび第３のアンテナ２０ｃを適用している。特に、単一周波数用の第１のアンテナ２０ａは、図６および図７に示すように、４００ＭＨｚ付近の周波数帯域を使用する無線盜聴器を探知するために４００ＭＨｚを含む無線信号を受信するループアンテナを適用し、単一周波数用の第２のアンテナ２０ｂおよび第３のアンテナ２０ｃは、単一周波数用の第１のアンテナ２０ａよりも高い１．２ＧＨｚと２．４ＧＨｚ付近の周波数帯域を使用する隠しカメラを探知するために１．２ＧＨｚ帯域の無線信号を受信するマイクロストリップアンテナやチップアンテナを適用している。もちろん、本発明の好適な実施形態においては、４００ＭＨｚ、１．２ＧＨｚおよび２．４ＧＨｚ帯域の無線信号をそれぞれ受信する単一周波数用の第１、第２、第３のアンテナ２０ａ、２０ｂ、２０ｃをいずれも適用した形態を開示しているが、このような単一周波数用アンテナの数および種類は必要に応じて適用可能である。そして、単一周波数用の第１のアンテナ２０ａ、第２のアンテナ２０ｂおよび第３のアンテナ２０ｃは、基本的に、モジュールが実装される基板上にパターンまたは素子として設けられるものであるが、携帯電話のように小型化の傾向にあるモバイル機器である点を考慮するとき、モバイル機器のハウジングの内面にパターン状（図９に示すように、携帯電話１００の本体ケースを構成するハウジング１２０の内面１２２に形成することができる。このようなパターンは、通常、ハウジング内面のシールド形成工程時に形成可能なものであり、このような製造工程はこの分野における周知の技術により簡単に形成可能なものであるため、詳細な説明は省略する）に適用することができる。
単一周波数用の第１のアンテナ２０ａ、第２のアンテナ２０ｂおよび第３のアンテナ２０ｃを介して受信された無線信号は、バンドパスフィルター３２とＲＦデテクター３４からなる無線信号処理部３０において直列処理されて不法無線装置の特定周波数に対する直流電圧値が取得される。すなわち、単一周波数用アンテナ２０を介して受信された無線信号は狭帯域無線信号であり、通常のアンテナに比べて不法無線装置に用いられる特定周波数から所定の範囲を有しているが、電波信号の特性から雑音が混ざらざるを得ないため、バンドパスフィルター３２を介して余計な雑音をろ過し、対象となる不法無線装置が用いられる周波数帯域（この実施形態においては、４００ＭＨｚ、１２００ＭＨｚ、２４００ＭＨｚ）の無線信号を通過させるバンドパスフィルター３２を適用する。そして、ＲＦデテクター３４を介してバンドパスフィルター３２の無線信号を受信されて不法無線装置の特定周波数を抽出して探知用マイコン４０のＡＤＣポートに入力可能な信号である直流電圧値に変換させる。本発明の好適な実施形態によれば、無線信号処理部３０のバンドパスフィルター３２は、上述した単一周波数用の第１のアンテナ２０ａ、第２のアンテナ２０ｂおよび第３のアンテナ２０ｃとそれぞれ対応して接続される第１のバンドパスフィルター３２ａ、第２のバンドパスフィルター３２ｂおよび第３のバンドパスフィルター３２ｃからなり、ＲＦデテクター３４は、バンドパスフィルター３２と直列処理のために第１のバンドパスフィルター３２ａ、第２のバンドパスフィルター３２ｂおよび第３のバンドパスフィルター３２ｃと連続して接続される第１のＲＦデテクター３４ａ、第２のＲＦデテクター３４ｂ、第３のＲＦデテクター３４ｃからなる。
一方、この実施形態における探知用マイコン４０は、ＡＤＣポートを介して第１、第２、及び第３のＲＦデテクター３４ａ、３４ｂ、３４ｃから印加される直流電圧値を設定された演算処理過程を経てデジタル形態のコード（データ値）として出力するが、これは、携帯電話などのように適用されるモバイル機器のシステム用マイコン５０に伝送される。もちろん、不法無線装置の専用探知器である場合と、モバイル機器のシステム用マイコン５０を探知用マイコン４０として使用する場合、ディスプレイ、ＬＥＤ、ブザーなどを探知用マイコン４０が直接的に制御して外部に表示することもできる。このように本発明による電波探知モジュール１０は、交流形態の無線信号がデジタル形態のデータ値として出力されるため、携帯電話などのモバイル機器に極めて簡単に適用することができる。すなわち、本発明によれば、データ値が出力されれば、不法無線装置に対する電波探知を行っている場所の近くに不法無線装置に存在することを意味し、データ値が出力されなければ、不法無線装置に対する電波探知を行っている場所の近くに不法無線装置が存在しないことを意味する。また、不法無線装置に対する電波探知を行っている場所から位置をずらすに伴い出力される信号のサイズが次第に大きくなると、不法無線装置に次第に近づいていくことを意味し、不法無線装置に対する電波探知を行っている場所から位置をずらすに伴い出力される信号のサイズが次第に小さくなると、不法無線装置から次第に遠ざかっていると推定することができる。
このように本発明の好適な実施形態による電波探知モジュール１０は、単一周波数用の第１、第２、第３のアンテナ２０ａ、２０ｂ、２０ｃを介して受信される狭帯域無線信号を第１、第２、第３のバンドパスフィルター３２ａ、３２ｂ、３２ｃ、第１、第２、第３のＲＦデテクター３４ａ、３２ｂ、３２ｃおよび、探知用マイコン４０を構成する受動素子と能動素子を経て直列処理するため、従来の受信された信号が別途の検波部および増幅部などの複雑な回路構造を介して処理される技術に比べて、信号処理が迅速に行われる結果、不法無線装置に対する応答効率と探知効率が高くなり、しかも、優れた安定性を有することになる。
図６は、図５に示す不法無線装置に対する電波探知回路が実現される一例を説明するための図であり、図７は、図３に示す不法無線装置に対する電波探知回路が実現される他の例を説明するための図である。
図６および図７を参照すれば、上述したように、本発明の好適な実施形態による不法無線装置に対する電波探知モジュール１０は、その構成要素が単純化且つ最小化可能になることから、電波探知モジュール１０を構成する要素が集積化されて超小型素子やチップの形態で容易に構成される。
このような電波探知モジュール１０は、独立した超小型のモジュールとして構成可能なものであるため、携帯電話１００、１００’（図９および図１０参照）などのモバイル機器１００に設置時または装着時に信号の入出力がモバイル機器の固有機能とは独立的に行われて相互機能実行による信号干渉や作動干渉が防止され、電波探知モジュール１０が単一のチップとして規格化されてモバイル機器１００に手軽に且つ簡単に装着される。
このような電波探知モジュール１０は様々な形態でモジュール化されて構成可能である。すなわち、図６に示すように、小型薄板状の回路基板（１２、この回路基板１２は単一のチップを構成するための基板であってもよく、モバイル機器を構成する基板であってもよい）の上に単一周波数用の第１、第２、第３のアンテナ２０ａ、２０ｂ、２０ｃを設け、バンドパスフィルター３２、ＲＦデテクター３４および探知用マイコン４０を構成する素子を取り付けて構成してもよく、図７に示すように、多層または特定の構造を有する多数の回路基板１２ａ、１２ｂ、１２ｃの上に単一周波数用の第１、第２、第３のアンテナ２０ａ、２０ｂ、２０ｃを設け、バンドパスフィルター３２、ＲＦデテクター３４および探知用マイコン４０を構成する素子を取り付けて構成してもよい。もちろん、単一周波数用の第１、第２、第３のアンテナ２０ａ、２０ｂ、２０ｃ、バンドパスフィルター３２、ＲＦデテクター３４および探知用マイコン４０の配置は設計条件によって様々な方式により行われ、その配線は通常の回路基板を構成する技術によって設定可能である。そして、上述したように、単一周波数用の第１、第２、第３のアンテナ２０ａ、２０ｂ、２０ｃは空間を活用する技法により電波探知モジュール１０を取り囲むシールドまたは電波探知モジュール１０が設けられるモバイル機器のハウジング（図９に示す携帯電話１００などの場合、ハウジング１２０の内面１２２）にパターン状に形成してもよい。
このとき、本発明の好適な実施形態において、アンテナの長さが周波数のサイズに反比例する性質を考慮して、４００ＭＨｚ周波数帯域の無線信号を発信する無線盜聴器用に割り当てられる単一周波数用の第１のアンテナ２０ａとしては、手狭い空間においても長さを伸張可能なループアンテナを採用し、１．２ＧＨｚと２．４ＧＨｚの周波数帯域の無線信号を発信する隠しカメラ用に割り当てられる単一周波数用の第２および第３のアンテナ２０ｂ、２０ｃとしては、回路基板に超薄型に直接的に表面実装可能なマイクロストリップアンテナやチップアンテナを採用する。そして、本発明において単一周波数用の第１、第２、第３のアンテナ２０ａ、２０ｂ、２０ｃとして用いられるループアンテナ、マイクロストリップアンテナ、チップアンテナはいずれも超小型に製作可能であることから、空間活用度を極大化させることができる。もちろん、上述したように、無線盜聴器や隠しカメラのどちらか一方の不法無線装置だけを探知する目的で電波探知モジュール１０を構成する場合、単一周波数用の第１、第２、第３のアンテナ２０ａ、２０ｂ、２０ｃから選ばれるいずれか１種だけを採用することができる。
本発明による電波探知モジュール１０は、単一周波数用の第１、第２、第３のアンテナ２０ａ、２０ｂ、２０ｃを内蔵しているため、不法無線装置を探索可能な機能を与えるために設けられる携帯電話などのモバイル機器に設けられる場合、モバイル機器のアンテナと独立して無線盜聴器や隠しカメラが発信する無線信号の周波数帯の特定の無線信号だけを受信することになる。このため、本発明によれば、従来の無線探知機能を与えた携帯電話のように自体アンテナを介して携帯電話通信信号と盜聴器および隠しカメラが発信する無線信号を同時に受信した後、分離して処理する過程において雑音が混ざったり信号間干渉が発生するという問題点を解消することができる。
また、この実施形態の電波探知モジュール１０は、単一のチップとして構成される場合、回路基板１２に接続されて外部から電源を印加する電源端子１２、データの入出力のための出力端子１４および接地端子１６などが設けられるが、このような構成はチップの種類によって設定可能である。例えば、図６および図７においては、回路基板１２の一方の側に電源端子１２、出力端子１４および接地端子１６が設けられる場合を示しているが、チップがピン状またはコネクタ状に形成される場合にはそれによる構成を有する。
図８は、本発明の好適な実施形態による不法無線装置に対する電波探知機能を有するモバイル機器を説明するためのブロック図であり、図９は、図６に示す不法無線装置に対する電波探知機能を有するモバイル機器の一例として携帯電話に実現される一例を説明するための図であり、図１０は、図６に示す不法無線装置に対する電波探知機能を有するモバイル機器の一例として携帯電話に実現される他の例を説明するための図である。このとき、図９において、（ａ）は携帯電話基板１１０と携帯電話ハウジング１２０が分離された状態を概略的に示す図であり、（ｂ）は（ａ）の結合状態を概略的に示す図である。なお、図９に示す携帯電話１００は、本発明を具体的に説明するための例示に過ぎず、本発明の技術的思想を限定するものではない。そして、図１０は、バッテリー、イヤホン、マイク、ブルーテゥースおよびメモリースチックなどの携帯電話付属品１５０（図８参照）の一例としてバッテリー１５０ａの一例を示す図であり、（ａ）はバッテリー１５０ａの簡略な分解状態を示すものであり、（ｂ）及び（ｃ）はバッテリー１５０ａが携帯電話１００に装填される前の前後方向から見られる形態を簡略に示す図である。なお、図１０に示す携帯電話１００とバッテリー１５０ａは、本発明を具体的に説明するための例示であり、本発明の技術的思想を限定するものではない。
図８から図１０を参照すれば、本発明による電波探知モジュール１０は、上述したように、不法無線装置を探知する構成がモジュールからなり、モジュール自体から不法無線装置に対する探知結果が出力されるように構成されるため、携帯電話などのモバイル機器１００に一層簡単に適用可能であるというメリットがある。以下、モバイル機器１００の例として携帯電話１００、１００’を挙げて具体的に説明する。
本発明による携帯電話１００、１００’は、上述した構成と作用を有する電波探知モジュール１０を適用して特定周波数を使用する不法無線装置に対する電波探知機能を有するように構成される。このとき、本発明による携帯電話１００、１００’は、基本的に通常の携帯電話の機能を有する形態であり、本発明による電波探知モジュール１０が電気的に接続されて探知用マイコン４０から出力されるデジタル形態のデータ値を携帯電話１００、１００’のシステム用マイコン５０（携帯電話１００、１００’を制御するマイコンを言う。）に伝送し、システム用マイコン５０は探知用マイコン４０から送られてきたデジタル形態のデータ値を用いて表示装置であるディスプレイ６２またはスピーカー６４を制御して外部に表示させる技術的な構成を有することを特徴とする。もちろん、上述したように、携帯電話１００、１００’のシステム用マイコン５０を探知用マイコン４０として適用して構成することができるが、このような構成による作用は、探知用マイコン４０をシステム用マイコン５０に置き換えるものであるため、詳細な説明は省略する。
この技術を実現する形態には、図９に示すように、携帯電話１００の携帯電話基板１１０（この実施形態においては、システム用マイコン５０が設けられるメイン基板として示しているが、この基板は他の基板にも適用可能なものである）に設けて携帯電話１００本体に取り付けてもよく、図１０に示すように、電源端子１４、出力端子１６および接地端子１８などの接続端子を携帯電話１００’の外部ライン接続端子１３０に接続されるバッテリー１５０ａ、イヤホン、マイク、ブルーテゥースおよびメモリースチックなどの携帯電話付属品１５０内に設けてもよい。このとき、図１０においては、バッテリー１５０ａに設けられる一例を示しているが、他の携帯電話付属品１５０に設けられる場合にも本発明の技術的な思想下で様々な形態で構成することができる。
本発明の好適な実施形態による携帯電話１００、１００’には、特定周波数を使用する不法無線装置に対する電波探知機能を行うためのプログラムが搭載され、携帯電話機能を行うシステム用マイコン５０が基本的に設けられる。そして、上述した電波探知モジュール１０は、携帯電話１００、１００’のバッテリーから電源を供給されるように接続されてシステム用マイコン５０の入出力ポートと接続され、不法無線装置の探知に対するデータ値をシステム用マイコン５０に伝送するように設けられる。
このとき、上述したように、電波探知モジュール１０を適用する形態には、図９に示すように、携帯電話１００の本体に設けられる場合と、図１０に示すように、携帯電話付属品１５０に設けられる場合がある。
図９に示すように、電波探知モジュール１０が携帯電話１００内に設けられるようにして携帯電話１００を構成する場合、携帯電話基板１００には電波探知モジュール１０が取着されるようにシステム用マイコン５０の入出力ポートと接続されるチップ用ソケット１１４が設けられる。もちろん、上述したように、このチップ用ソケット１１４は、システム用マイコン５０が設けられるメイン基板に限定されるものではなく、その位置も制限されるものではない。例えば、最近、携帯電話を通じての付加機能を高めるために特定の機能を与えるチップセットの脱着を容易ならしめる技術が提案されているが、本発明もこれと同様の形態にて実現することができる。
また、図１０に示すように、電波探知モジュール１０が携帯電話付属品１５０の１種であるバッテリー１５０ａに設けられるようにして携帯電話１００’を構成する場合、電波探知回路１０はバッテリー１５０ａのバッテリー基板１５２に凹設された取付溝１１４’に嵌着されてバッテリーハウジング１６０内に位置するように設けられる。このとき、電波探知モジュール１０の電源端子１４、出力端子１６および接地端子１８などの接続端子は、バッテリー端子１５４と別設されて、携帯電話１００’本体の外部ライン接続端子１３０に接続されたときにシステム用マイコン５０と接続されて不法無線装置の探知機能を行わせる。もちろん、このような接続構造はこの分野における種々の技術を適用して達成することができる。
本発明の好適な実施形態による携帯電話１００、１００’は、電波探知モジュール１０が携帯電話１００、１００’のシステム用マイコン５０と接続されて電波探知モジュール１０により不法無線装置の無線信号に対するデジタル形態のデータ値がシステム用マイコン５０に伝達され、システム用マイコン５０は、携帯電話１００、１００’の外部に不法無線装置に対する探知信号をディスプレイ６２またはスピーカー６４などの表示装置を介して出力させる。
本発明による不法無線装置に対する電波探知機能を有する携帯電話１００、１００’は探知機能を行い、電波探知モジュール１０から入力されたデジタル形態のデータ値を携帯電話１００、１００’の表示装置に出力するための応用プログラムのダウンロードだけで不法無線装置に対する探知機能を行うことが可能になる。
上述したように、本発明の実施形態による不法無線装置に対する電波探知方法と電波探知モジュール、およびそれを用いた電波探知機能を有するモバイル機器を上述した説明および図面に基づいて図示したが、これは単なる例示的なものに過ぎず、本発明の技術的思想を逸脱しない範囲内において様々な変化および変更が可能であることはこの分野における通常の知識を有する者にとって理解できるであろう。
上述した目的を達成するための本発明の特徴によれば、本発明は、指定された周波数帯域の無線信号を使用する不法無線装置に対する電波探知方法において、単一周波数用アンテナを用いて前記不法無線装置が用いられる周波数帯域の無線信号が含まれる狭帯域の無線信号を受信し、前記受信された狭帯域の無線信号を直列処理して前記不法無線装置の特定周波数に対する直流電圧値を取得するステップと、マイコンのアナログ−デジタルポートを介して前記取得された直流電圧値を前記マイコンに伝送し、前記マイコンにおいてデジタル形態のデータ値として出力するステップと、前記出力されるデジタル形態のデータ値を用いて前記不法無線装置の有無を表示装置を介して外部に表示させるステップと、を含む。
また、本発明による不法無線装置に対する電波探知方法において、前記不法無線装置の特定周波数に対する直流電圧値を取得するステップは、バンドパスフィルターを用いて前記単一周波数用アンテナを介して受信された狭帯域の無線信号から前記不法無線装置が用いられる周波数帯域の無線信号を抽出するステップと、前記バンドパスフィルターを介して抽出された前記無線信号からＲＦデテクターを介して前記不法無線装置の特定周波数を抽出して前記マイコンのアナログ−デジタル変換ポートに伝送される電気信号である前記直流電圧値に変換するステップと、を含んでもよい。
さらに、本発明による不法無線装置に対する電波探知方法において、前記出力されるデジタル形態のデータ値を用いて前記不法無線装置の有無を表示装置を介して外部に表示させるステップは、前記マイコンを介して出力されるデジタル形態のデータ値をシステム用マイコンの入出力ポートを介して前記システム用マイコンに伝送し、前記システム用マイコンの制御により前記表示装置を介して外部に表示させてもよい。
上述した目的を達成するための本発明の他の特徴によれば、本発明は、指定された周波数帯域の無線信号を使用する不法無線装置に対する電波探知モジュールにおいて、前記不法無線装置が用いられる周波数帯域の無線信号が含まれる狭帯域の無線信号を受信するためにループアンテナ、マイクロストリップアンテナおよびチップアンテナよりなる群から選ばれる単一周波数用アンテナと、前記単一周波数用アンテナから受信された狭帯域の無線信号を直列処理して前記不法無線装置の特定周波数に対する直流電圧値を取得するための無線信号処理部と、前記無線信号処理部において取得された直流電圧値をデジタル形態のデータ値として出力するためのマイコンと、を備える。
また、本発明による不法無線装置に対する電波探知モジュールにおいて、前記単一周波数用アンテナ、無線信号処理部およびマイコンは、不法無線装置を探知するための機能を持たせる機器の基板上に実装されてもよい。
さらに、本発明による不法無線装置に対する電波探知モジュールにおいて、前記単一周波数用アンテナ、無線信号処理部およびマイコンは、単一のチップとして形成されてもよい。
さらに、本発明による不法無線装置に対する電波探知モジュールにおいて、前記単一周波数用アンテナ、無線信号処理部およびマイコンは単一のチップとして形成され、別途のシステム用マイコンを備えて不法無線装置を探知するための機能を持たせる機器の基板上に前記システム用マイコンの入出力ポートと接続されるように設けられるチップ用ソケットに取着されることにより、前記マイコンから出力されるデジタル形態のデータ値を前記システム用マイコンに入力させてもよい。
さらに、本発明による不法無線装置に対する電波探知モジュールにおいて、前記単一周波数用アンテナ、無線信号処理部およびマイコンは別途のシステム用マイコンを備えて不法無線装置を探知するための機能を持たせる機器の基板上に前記システム用マイコンの入出力ポートと接続されるように設けられる外部ライン接続端子に接続されるように設けられることにより、前記マイコンから出力されるデジタル形態のデータ値を前記システム用マイコンに入力させてもよい。
さらに、本発明による不法無線装置に対する電波探知モジュールにおいて、前記無線信号処理部は、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して前記マイコンのアナログ−デジタル変換ポートに伝送される電気信号である前記直流電圧値に変換させるＲＦデテクターと、を備えてもよい。
上述した目的を達成するための本発明のさらに他の特徴によれば、本発明は、指定された周波数帯域の無線信号を使用する不法無線装置に対する電波探知機能を有するモバイル機器において、前記指定された周波数帯域の無線信号を使用する不法無線装置に対する探知機能を行うためのプログラムが搭載され、モバイル機器の固有機能を行うシステム用マイコンと、前記モバイル機器のバッテリーから電源を供給されるように接続されて前記システム用マイコンと接続され、前記不法無線装置の探知結果を前記システム用マイコンに伝送するように構成される電波探知モジュールと、を備えるが、前記電波探知モジュールは、前記不法無線装置が用いられる周波数帯域の無線信号が含まれている狭帯域の無線信号を受信するためにループアンテナ、マイクロストリップアンテナおよびチップアンテナよりなる群から選ばれる単一周波数用アンテナを備える。
また、本発明による不法無線装置に対する電波探知機能を有するモバイル機器において、前記電波探知モジュールは、前記電波探知モジュールは、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して前記システム用マイコンのアナログ−デジタル変換ポートに伝送される電気信号である前記直流電圧値に変換させるＲＦデテクターと、を備えてもよい。
さらに、本発明による不法無線装置に対する電波探知機能を有するモバイル機器において、前記電波探知モジュールは、前記単一周波数用アンテナを介して受信された狭帯域の無線信号から前記不法無線装置が用いられる周波数帯域の無線信号を抽出するためのバンドパスフィルターと、前記バンドパスフィルターを介して抽出された前記無線信号から前記不法無線装置の特定周波数を抽出して直流電圧値に変換させるＲＦデテクターと、前記ＲＦデテクターにおいて取得された直流電圧値をアナログ−デジタル変換ポートに入力され、内部演算処理によりデジタル形態のデータ値に変換させて前記システム用マイコンの入出力ポートを介して前記システム用マイコンに伝送するための探知用マイコンと、を備えてもよい。
さらに、本発明による不法無線装置に対する電波探知機能を有するモバイル機器において、前記電波探知モジュールは単一のチップとして形成されて前記システム用マイコンが設けられるモバイル機器の本体に設けられてもよい。
さらに、本発明による不法無線装置に対する電波探知機能を有するモバイル機器は、 前記システム用マイコンと接続される外部ライン接続端子をさらに備え、前記電波探知モジュールは、バッテリー、イヤホン、マイク、ブルーテゥースおよびメモリースチックよりなる群から選ばれるモバイル機器付属品に設けられることにより、前記モバイル機器付属品が前記外部ライン接続端子に接続されたとき、前記システム用マイコンと接続されて前記不法無線装置の探知機能を行ってもよい。
さらに、本発明による不法無線装置に対する電波探知機能を有するモバイル機器において、前記電波探知モジュールは、前記モバイル機器の基板上に実装されてもよい。
さらに、本発明による不法無線装置に対する電波探知機能を有するモバイル機器において、前記電波探知モジュールにおける前記単一周波数用アンテナは、前記モバイル機器本体のハウジングの内面にパターン状に形成されてもよい。
【産業上の利用可能性】
【０００９】
本発明による不法無線装置に対する電波探知方法と電波探知モジュールによれば、単一周波数用アンテナを用いて不法無線装置が用いられる周波数帯域の無線信号が含まれている狭帯域の無線信号を受信し、これを直列処理して行われるため、従来の技術に比べて優れた安定性と高い応答効率および探知効率にて不法無線装置を探知することが可能になる。特に、単一周波数用アンテナを用いて不法無線装置が用いられる周波数帯域の無線信号が含まれている狭帯域の無線信号を受信した後、直列処理を施すことにより不法無線装置の特定周波数に対する直流電圧値を取得することから、受信された無線信号を処理する過程において雑音や誤信号が混ざり込んで機器が不安定になるという問題点を効果的に除去して不法無線装置の無線信号に対する応答効率と探知効率を高めることができる。さらに、本発明は、不法無線装置を探知するための装置を実現するに当たって、能動素子と受動素子を活用してモジュールの形態に構成することができて基板に実装して構成すると共に、単一のチップとして構成することができることから、従来の技術に比べてその構成を簡素化できて装置の小型化が図れる結果、携帯電話などのモバイル機器に不法無線装置の探知機能を簡単に適用することができる。なお、自体マイコン（マイクロコントローラ）を介してデジタル形態のデータ値として出力するように構成することができることから、携帯電話などのモバイル機器に不法無線装置に対する電波探知のためのハードウェア的な構成をさらに埋め込む必要がなく、様々なモバイル機器に対する高い互換性を有する。特に、本発明による電波探知モジュールは単一のチップとして構成することができることから、携帯電話のように適用しようとするモバイル機器に電波探知回路が取着されるような構成（ソケットまたは外部ライン接続端子）だけを付加するだけでも不法無線装置の電波探知機能を適用することができることから、適用しようとする装置の設計負担を軽減することができる。さらに、本発明は、従来の技術とは異なり、モバイル機器のモジュールに対する設計負担を軽減しながら不法無線装置の電波探知機能を有するモジュールを追加することが可能になることから、モバイル機器本来の機能を毀損しないつつも安定的且つ効率的に不法無線装置を探知ことが可能になる。特に、本発明によるモバイル機器は、モバイル機器のアンテナとは別個に単一周波数用アンテナが設けられ、システム用マイコンとは別個に電波探知機能のための探知用マイコンが設けられることから、モバイル機器本来の機能とは分離されて独立して安定的且つ効率的な探知機能を行うことになり、モバイル機器も本来機能を円滑に行うことになる。さらに、モバイル機器のアンテナとは別個に単一周波数用アンテナが設けられることから、アンテナを使用しない計算機、デジタルカメラ、ＰＳＰなどのモバイル機器にアンテナを設けるための設計変更が要求されないというメリットがある。
2010511150.tif 000003
【図６】
2010511150.tif 000004
【図７】
2010511150.tif 000005
【図９（ａ）】
2010511150.tif 000006
【図９（ｂ）】
2010511150.tif 000007
【図１０（ａ）】
2010511150.tif 000008
【図１０（ｂ）】
2010511150.tif 000009
【図１０（ｃ）】
2010511150.tif 000010
【図１】
2010511150.tif 000011
【図２】
2010511150.tif 000012
【図３】
2010511150.tif 000013
【図４】
2010511150.tif 000014
【図５】
2010511150.tif 000015
【図８】
2010511150.tif 000016
【国際調査報告】
2010511150.tif 000017
2010511150.tif 000018